(57)【特許請求の範囲】
【請求項１】
内視鏡の照明用ライトガイドファイババンドルの入射端が配置されたコネクタを上記ライトガイドファイババンドルに照明光を入射させるための光源ランプが内蔵された光源装置に対して挿脱自在に設けた内視鏡の照明装置において、
上記光源ランプから放射されて一定の位置に収束される照明光線束の上記収束位置に対して、上記ライトガイドファイババンドルの入射端面が、上記ライトガイドファイババンドルが太径内視鏡のものである場合には上記照明光線束の収束位置と隙間をあけて位置し、上記ライトガイドファイババンドルが細径内視鏡のものである場合には上記照明光線束の収束位置と一致するかそれより上記光源ランプ側に寄って位置するように、上記コネクタにおいて、上記ライトガイドファイババンドルの入射端面と上記光源装置に対する当接面との間の距離を、上記ライトガイドファイババンドルの太さに応じて変えたことを特徴とする内視鏡の照明装置。
【請求項２】
内視鏡の照明用ライトガイドファイババンドルの入射端が配置されたコネクタを上記ライトガイドファイババンドルに照明光を入射させるための光源ランプが内蔵された光源装置に対して挿脱自在に設けた内視鏡の照明装置において、
上記光源ランプから放射されて一定の位置に収束される照明光線束の上記収束位置に対して、上記ライトガイドファイババンドルの入射端面が、上記ライトガイドファイババンドルが太径内視鏡のものである場合には上記照明光線束の収束位置と隙間をあけて位置し、上記ライトガイドファイババンドルが細径内視鏡のものである場合には上記照明光線束の収束位置と一致するかそれより上記光源ランプ側に寄って位置するように、上記光源装置において、上記コネクタが当接される当て付け面を、上記照明光線束の収束位置との距離を変えて複数設けたことを特徴とする内視鏡の照明装置。
【発明の詳細な説明】
【０００１】
【産業上の利用分野】
この発明は、内視鏡の照明用ライトガイドファイババンドルの入射端が配置されたコネクタを光源装置に対して挿脱自在に設けた内視鏡の照明装置に関する。
【０００２】
【従来の技術】
光源装置内には、ライトガイドファイババンドルに入射させる照明光を放射するための光源ランプが配置されている。そして、コネクタを光源装置に差し込むと、ライトガイドファイババンドルの入射端面が光源ランプから放射された照明光線束の収束位置に位置するようにレイアウトされている。
【０００３】
【発明が解決しようとする課題】
図１２に示されるように、ライトガイドファイババンドル９１の入射端面と照明光線束の収束位置との間の距離をｅとすると、例えば図１３に示されるように、ライトガイドファイババンドル９１に入射する光束（明るさ）が最大になる距離ｅは、ライトガイドファイババンドル９１の太さ（正確にはその入射端面の直径）によって異なる。
【０００４】
また、ある特定の内視鏡の照明装置においては、図１３に示されるように、入射光束が最大になる状態よりｅがプラス側にずれると入射光束が急激に減少するので、製造上のずれ等を考慮すると、ｅは最適値から若干マイナス側にずれるようにしておいた方が好ましい。ｅの符号については、図１２に示されているとおりである。
【０００５】
そして、ライトガイドファイババンドル９１が細い場合には、できるだけ入射光束が最大になるようにｅをセットするのが望ましいが、ライトガイドファイババンドル９１が太い場合には、照明光束が過多になって観察部位が火傷をしないように配慮してｅをセットすべきである。
【０００６】
しかし、上述のような従来の内視鏡の照明装置においては、光源装置に接続される内視鏡が消化管用等のライトガイドファイババンドル９１の太いものであっても、気管支用等の細いものであっても、照明光線束の収束位置とライトガイドファイババンドル９１の入射端面との位置関係は同じである。
【０００７】
そのため、細径の内視鏡ではライトガイドファイババンドル９１に充分な照明光束が供給されなかったり、逆に、太径の内視鏡では、照明光束が供給過多になって観察部位を火傷させてしまうことがあった。
【０００８】
そこで本発明は、内視鏡のライトガイドファイババンドルの太さ又は内視鏡の機種に応じて適正な照明光束をライトガイドファイババンドルに供給することができる内視鏡の照明装置を提供することを目的とする。
【０００９】
【課題を解決するための手段】
上記の目的を達成するため、本発明の内視鏡の照明装置は、内視鏡の照明用ライトガイドファイババンドルの入射端が配置されたコネクタを上記ライトガイドファイババンドルに照明光を入射させるための光源ランプが内蔵された光源装置に対して挿脱自在に設けた内視鏡の照明装置において、上記光源ランプから放射された照明光線束の収束位置と上記ライトガイドファイババンドルの入射端面との位置関係を上記ライトガイドファイババンドルの太さ又は内視鏡の機種に対応して変えられるようにしたことを特徴とする。
【００１０】
なお、上記コネクタにおいて、上記ライトガイドファイババンドルの入射端面と上記光源装置に対する当接面との間の距離を、ライトガイドファイババンドルの太さ又は内視鏡の機種に応じて変えてもよく、或いは、上記光源装置において、上記コネクタが当接される当て付け面を、上記照明光線束の収束位置との距離を変えて複数設けてもよい。
【００１１】
また、上記光源装置において、上記照明光線束の収束位置を可変にしてもよく、上記照明光線束の収束位置と上記ライトガイドファイババンドルの入射端面との位置関係が上記ライトガイドファイババンドルの太さ又は内視鏡の機種に対応して自動的に変化するようにしてもよい。
【００１２】
【実施例】
キセノンランプを光源とする光源装置を用いた実験の結果、照明光線束の収束位置と入射端面との間の距離ｅは、ライトガイドファイババンドルの入射端面の直径ｄに対して次のようにするのが最も好ましかった。ｅの符号については、図１２に示されるとおりである。
【００１３】
ｄ＝０．８〜１．２ｍｍ  では、  ｅ＝−１ｍｍ
ｄ＝１．２〜１．６ｍｍ  では、  ｅ＝  ０ｍｍ
ｄ＝１．６〜２．４ｍｍ  では、  ｅ＝＋１ｍｍ
ｄ＝２．４〜３．２ｍｍ  では、  ｅ＝＋２ｍｍ
ｄ≧２．４ｍｍで火傷の恐れがある場合は、  ｅ＝−５ｍｍ。
【００１４】
図１及び図２は、ｅを可変にした本発明の第１の実施例を示しており、図１に示されるように、内視鏡のコネクタ１内には照明用ライトガイドファイババンドル２の入射端部が配置され、コネクタ１から前方に突設された接続筒３の先端部分に、ライトガイドファイババンドル２の入射端面２ａが固定されている。
【００１５】
コネクタ１が挿脱自在に設けられた光源装置２０内には、ライトガイドファイババンドル２に入射させるための照明光を放射する例えばキセノンランプからなる光源ランプ２１が内蔵されており、その光源ランプ２１から放射された照明光線束は、照明光収束レンズ２２で集束される。
【００１６】
コネクタ１は、接続筒３の軸方向（矢印方向）に進退させることにより光源装置２０に対して挿脱される。
そして、コネクタ１が光源装置２０に接続された状態では、光源装置２０の外表面にコネクタ１の当接面４が当接して、ライトガイドファイババンドル２の入射端面２ａが、ほぼ照明光線束の収束位置に位置決めされ、照明光線束の大半がライトガイドファイババンドル２に入射される。
【００１７】
このようにして光源装置２０に差し込み接続されるコネクタ１は、図２に示されるように、細いライトガイドファイババンドル２が用いられている気管支用等の細径内視鏡Ａと、太いライトガイドファイババンドル２が用いられている消化管用等の太径内視鏡Ｂとで、ライトガイドファイババンドル２の入射端面２ａとコネクタ１の当接面４との間の距離が異なっている。
【００１８】
具体的には、ライトガイドファイババンドル２の入射端面２ａとコネクタ１の当接面４との間の距離を、細径内視鏡ＡではＬＡ  とし、太径内視鏡ＢではＬＢ  としたとき、ＬＡ  ＞ＬＢ  であり、細径内視鏡Ａでは入射端面２ａが照明光線束のちょうど収束点の位置又はそれより僅かに光源ランプ２１寄りに位置する（ｅ≦０）が、太径内視鏡Ｂでは、入射端面２ａが照明光線束の収束点と隙間をあけて位置する（ｅ＞０）ようになっている。
【００１９】
その結果、細径内視鏡Ａのライトガイドファイババンドル２に対しては装置上可能な最大限に近い光束が入射し、太径内視鏡Ｂのライトガイドファイババンドル２に対しては、観察部位を火傷させない程度の照明光束が入射する。なお、ＬＡ  及びＬＢ  の値は、ライトガイドファイババンドル２の入射端面２ａの直径に対応させて内視鏡の機種毎に設定される。
【００２０】
図３及び図４は、本発明の第２の実施例を示しており、細径内視鏡Ａと太径内視鏡Ｂとで、ライトガイドファイババンドル２の入射端面２ａとコネクタ１の当接面４との間の距離は同じであるが、コネクタ１の当接面４が当て付けられる光源装置２０側の当て付け面の位置を、細径内視鏡Ａと太径内視鏡Ｂとで変えたものである。
【００２１】
具体的には、細径内視鏡Ａ用には、図３に示されるように、コネクタ１の当接面４が当接する当て付け面２４ａが光源装置２０の表面より光源装置２０内に凹んだ位置に形成され、太径内視鏡Ｂ用には、図４に示されるように、当て付け面２４ｂが光源装置２０の表面に形成されている。
【００２２】
そのように細径内視鏡Ａと太径内視鏡Ｂとで当接する当て付け面２４ａ，２４ｂが異なるように、細径内視鏡Ａのコネクタ１の当接面４部分は太径内視鏡Ｂより細く形成されている。
【００２３】
その結果、第２の実施例においても第１の実施例と同じように、細径内視鏡Ａでは入射端面２ａが照明光線束の収束点またはそれより僅かに光源ランプ２１寄りに位置する（ｅ≦０）が、太径内視鏡Ｂでは入射端面２ａが照明光線束の収束点と隙間をあけて位置する（ｅ＞０）。
【００２４】
その結果、細径内視鏡Ａのライトガイドファイババンドル２に対しては最大限に近い光束が入射し、太径内視鏡Ｂのライトガイドファイババンドル２に対しては、観察部位を火傷させない程度の照明光束が入射する。
【００２５】
図５ないし図８は、本発明の第３の実施例の構成を示しており、光源装置２０に接続されるライトガイドファイババンドル２の太さ又は内視鏡の機種に対応して、光源装置２０側において照明光線束の収束位置を可変にしたものである。
【００２６】
図５に示されるように、内視鏡の挿入部６の先端には、対物光学系７による被写体の結像位置にイメージガイドファイババンドル８の像入射端が配置されており、ライトガイドファイババンドル２の射出端には凹レンズからなる配光レンズ９が配置されている。またコネクタ１には、その内視鏡特有のデータ等を格納したメモリ１０（例えばＥＥＰＲＯＭ）が内蔵されている。
【００２７】
光源装置２０には、光源ランプ２１と照明光収束レンズ２２との間に可変絞り２３が配置されており、また、照明光収束レンズ２２を照明光軸方向に移動させるための収束レンズ駆動回路２５、可変絞り２３を開閉駆動するための絞り駆動回路２６、及び光源ランプ２１の状態を制御するためのランプ制御回路２７等が設けられている。
【００２８】
これら、収束レンズ駆動回路２５、絞り駆動回路２６及びランプ制御回路２７の動作はマイクロコンピュータ制御部３０（以下、「マイコン制御部３０」という）によって制御される。２８は、制御内容の設定等を行うためのパネルスイッチであり、図８に示されるように、太径内視鏡使用時のための「＋」スイッチ２８１と細径内視鏡使用時のための「−」スイッチ２８２が設けられている。
【００２９】
図６はマイコン制御部３０の構成を示しており、演算処理を行うための中央演算装置（ＣＰＵ）３１に接続されたシステムバス３２に、プログラム等を格納した読み出し専用メモリ（ＲＯＭ）３３、演算用のランダムアクセスメモリ（ＲＡＭ）３４及びリアルタイムクロック（ＲＴＣ）３５などが接続されている。
【００３０】
収束レンズ駆動回路２５、絞り駆動回路２６、ランプ制御回路２７及びパネルスイッチ２８は各々入出力ポート３５，３６，３７，３８を介してシステムバス３２に接続されている。またコネクタ１のメモリ１０も入出力ポート３９を介してシステムバス３２に接続されている。
【００３１】
図７は、照明光収束レンズ２２を移動させるための構成を略示しており、収束レンズ駆動回路２５によって回転制御されるステップモータ２５１に連結されたピニオン２５２の回転運動が、照明光収束レンズ２２に連結されたラック２５３を直線運動させることによって、照明光収束レンズ２２が照明光軸方向に駆動される。
【００３２】
図９は、マイコン制御部３０のＲＯＭ３３に格納されたメインプログラムの内容を示しており、Ｓは処理ステップを示す。
ここでは、まず所定の初期設定を行ったあと（Ｓ１）、パネルスイッチ２８によって設定された処理（Ｓ２）、内視鏡側に関連する処理（Ｓ３）、ランプ制御回路２７関連の処理（Ｓ４）、日付及び時刻等の表示の処理（Ｓ５）及びその他の処理（Ｓ６）を順に繰り返す。
【００３３】
図１０は、Ｓ２のパネルスイッチ処理の内容を示しており、ここでは、まず前回の処理と今回の処理との間にパネルスイッチ２８のいずれかのスイッチが押されたかどうかを判定し、どのスイッチも押されていなければ、そのまま終了して次の内視鏡関連処理に移る（Ｓ１１）。
【００３４】
太径内視鏡使用時のためのスイッチである「＋」スイッチ２８１が押されたのであれば（Ｓ１２）、照明光収束レンズ２２を＋方向、即ち光源ランプ２１に近づく方向に１ステップ移動させて、次の内視鏡関連処理に移る（Ｓ１３）。
【００３５】
細径内視鏡使用時のためのスイッチである「−」スイッチ２８２が押されたのであれば（Ｓ１４）、照明光収束レンズ２２を−方向、即ちコネクタ１に近づく方向に１ステップ移動させてから、次の内視鏡関連処理に移る（Ｓ１５）。
【００３６】
パネルスイッチ２８の中の「＋」又は「−」以外のスイッチが押されたのであれば、その押されたスイッチのための処理をしてから、次の内視鏡関連処理に移る（Ｓ１６）。
【００３７】
このような制御により、「＋」又は「−」のスイッチ２８１，２８２を押すと照明光収束レンズ２２がレンズ移動量１ステップ分（例えば０．５ｍｍ）だけ照明光軸方向に移動し、照明光線束の収束位置を、使用内視鏡のライトガイドファイババンドル２の太さに合わせて変化させて、ライトガイドファイババンドル２の入射端面２ａとの間の距離ｅを任意に調整することができる。
【００３８】
図１１は、本発明の第４の実施例の内視鏡関連処理（Ｓ３）の制御処理フロー図を示しており、ハードウェアは、第３の実施例の図５、図６及び図７と同じであり、図９に示されるメインプログラムも同じである。
【００３９】
この実施例の場合は、コネクタ１に内蔵されたメモリ１０に、照明光収束レンズ２２の位置（即ち、距離ｅ）を示すデータを格納しておく。その値はその内視鏡のライトガイドファイババンドル２の入射端面２ａの直径ｄに対応して設定され、例えばｅ＝−５ｍｍ〜＋４ｍｍの範囲である。
【００４０】
そして、この制御処理では、まず前回の処理と今回の処理との間にコネクタ１が接続されたかどうかを判定し、その間にコネクタ１が接続されていなければそのまま終了して次のランプ関連処理に移行する（Ｓ２１）。
【００４１】
コネクタ１が接続されたときは、メモリ１０から照明光収束レンズ２２の位置データを読み込み（Ｓ２２）、照明光収束レンズ２２をそのデータの位置に移動させるようにステップモータ２５１を駆動する。
【００４２】
このような制御により、光源装置２０に接続される内視鏡のライトガイドファイババンドル２の太さ又は内視鏡の機種に対応して、入射端面２ａに対する照明光線束の収束位置が自動調整される。
【００４３】
なお、本発明は上記実施例に限定されるものではなく、例えば固体撮像素子を用いて観察像の伝送を電子信号により行ういわゆる電子内視鏡や硬性内視鏡などに適用してもよい。
【００４４】
【発明の効果】
本発明によれば、光源ランプから放射された照明光線束の収束位置とライトガイドファイババンドルの入射端面との位置関係をライトガイドファイババンドルの太さ又は内視鏡の機種に対応して最適の状態にセットすることができるので、細径内視鏡には最大限に明るい照明光束を供給し、太径内視鏡には観察範囲を火傷させない程度の適度な照明光束を供給することができる。また、光源ランプの交換等によって光源の明るさが極端に変わったような場合にも、内視鏡に対する照明光束の供給を最適状態に設定することができる。
【図面の簡単な説明】
【図１】第１の実施例の側面略示図である。
【図２】第１の実施例のコネクタの側面図である。
【図３】第２の実施例の部分側面断面図である。
【図４】第２の実施例の部分側面断面図である。
【図５】第３と第４の実施例の全体構成を示す略示図である。
【図６】第３と第４の実施例のマイコン制御部のブロック図である。
【図７】第３と第４の実施例の収束レンズ駆動機構の側面略示図である。
【図８】第３の実施例のパネルスイッチの正面図である。
【図９】第３と第４の実施例のメインプログラムのフロー図である。
【図１０】第３の実施例のパネルスイッチ処理のフロー図である。
【図１１】第４の実施例の内視鏡関連処理のフロー図である。
【図１２】照明光線束の収束位置とライトガイドファイババンドルの入射端面との位置関係を説明する略示図である。
【図１３】照明光線束の収束位置とライトガイドファイババンドルの入射端面との位置関係による入射光束の変化を説明する線図である。
【符号の説明】
１  コネクタ
２  ライトガイドファイババンドル
２ａ  入射端面
２０  光源装置
２１  光源ランプ
【図１】
0003581399.tif 000002
【図２】
0003581399.tif 000003
【図３】
0003581399.tif 000004
【図４】
0003581399.tif 000005
【図５】
0003581399.tif 000006
【図６】
0003581399.tif 000007
【図７】
0003581399.tif 000008
【図８】
0003581399.tif 000009
【図９】
0003581399.tif 000010
【図１０】
0003581399.tif 000011
【図１１】
0003581399.tif 000012
【図１２】
0003581399.tif 000013
【図１３】
0003581399.tif 000014